(57)【要約】      （修正有）【課題】壁面に黴が生えたり結露が生じたりすることが少なく、好ましい。【解決手段】上記課題を解決するため、本考案は、押入やウォークインクローゼット等を構成する巾木、壁板、回り縁等からなる壁体に所定の間隔で吹出口を設け、該吹出口は壁体の裏側に設けた下降気流を通す空間部と連通してなることを特徴とする通気を備えた押入等の収納壁。【選択図】図１
0003134960.tif 000002
【実用新案登録請求の範囲】
【請求項１】
巾木、壁板、回り縁等で形成される押入等の壁体に所定の間隔を開けて吹出口を設け、該吹出口は壁体の裏側に設けた下降気流を通す空間部と連通してなることを特徴とする通気を備えた押入等の収納壁。
【請求項２】
巾木、壁板、回り縁等の部材間に隙間を設けて吹出口を形成してなることを特徴とする請求項１記載の通気を備えた押入等の収納壁。
【請求項３】
巾木、壁板、回り縁等の部材にしゃくり部を設けてなることを特徴とする請求項２記載の通気を備えた押入等の収納壁。
【請求項４】
巾木、壁板、回り縁等で形成される押入等の壁体に所定の間隔を開けて貫通孔による吹出口を形成してなることを特徴とする請求項１記載の通気を備えた押入等の収納壁。
【考案の詳細な説明】
【技術分野】
【０００１】
本考案は、自然換気或いは強制換気等により巾木、壁板、回り縁等から構成される壁体に空気を吐出する吹出口を設けた押入、ウォークインクローゼット等の収納壁に関するものである。
【背景技術】
【０００２】
従来より、外部の新鮮な空気或いは建物内において暖められた空気又は冷やされた空気を所定の空間に吹き出すために吹出口を有する吐出手段が知られているが、その吹出口として壁や天井等の様々な部位が知られている。
【０００３】
図４は、特許文献に係る冷暖房換気システムの断面図で（「本出願人の発明」）、外部或いは小屋裏の空気を壁内の連通空間Ａを通じて巾木Ｂの位置より所定の室内Ｃへ吐出されている。
【特許文献１】特開２００６−９３２７号公報
【考案の開示】
【考案が解決しようとする課題】
【０００４】
しかし上記特許文献の吹出口は、居室等の広い空間部を有する室内に対して設けているもので、和室に設けた押入や洋室に設けたウォークインクローゼット等狭い空間部には吹出口が設けられてなく、該空間部に布団や衣服等を収納すると通気性が悪くなり、壁面に黴が生えたり結露が生じたりすることが多い。
【０００５】
又吹出口の開口部は可視できるように構成されているので、建築の意匠の観点或いは他の仕上部材との調和の観点から好ましいものとは言えなかった。
【０００６】
本考案は上記欠点を解決したもので、外部からの新鮮な空気、或いは冷暖房換気システムにおける冷暖房又は除湿空気等を押入やウォークインクローゼット等狭い空間部に吐出させるため巾木、壁板、回り縁等からなる壁体に吹出口を設けたことを特徴とする通気を備えた押入等の収納壁に関するものである。
【課題を解決するための手段】
【０００７】
本考案は、上記課題を解決する具体策として、巾木、壁板、回り縁等で形成される押入等の壁体に所定の間隔を開けて吹出口を設け、該吹出口は壁体の裏側に設けた下降気流を通す空間部と連通してなる通気を備えた押入等の収納壁を特徴とする。
【０００８】
上記吹出口は、対向する部材の双方、又は一方の端縁部に沿ってしゃくり部を設け、対向する部材間に隙間を設けて接合することにより横方向に連続する吹出口とした押入等の収納壁を特徴とする。
【考案の効果】
【０００９】
本考案の押入等の収納壁は、巾木、壁板、回り縁等で形成される壁体に所定の間隔を開けて吹出口を設けているので、該吹出口より新鮮な空気、或いは冷暖房や除湿された空気を吹き出すことができ、密閉された狭い空間部全体に行き渡る空気の流れを形成することができる。
【００１０】
また、室内側からは全く可視することができない位置に上記吹出口の開口部を設けているので、室内の意匠や仕上げ手段に該吹出口の存在を意識することなく内装施工することが可能となった。
【００１１】
更に、壁体を構成する巾木、壁板、回り縁等の部材間に隙間を開けて接合することにより吹出口を設けているので、該吹出口のために特別な部位や枠材等を設ける必要がなく、裏面側から連通する通気手段を形成することが可能となった。
【考案を実施するための最良の形態】
【００１２】
以下、本考案の実施例を図面に基づいて説明する。
【実施例１】
【００１３】
図１は、押入、ウォークインクローゼット等の収納壁を構成する本考案の巾木１、壁板２、３、４、５、回り縁６からなる壁体７の断面図を示している。図２は、本考案の巾木１、長尺材又は短尺材による壁板２、回り縁３からなる壁体７で構成された通気手段を備えた押入８の斜視図を示している。図３は、本考案の巾木１、壁板２、回り縁３からなる壁体７の下地材９を示す斜視図である。
【００１４】
該壁体７は、その裏側に設けた空間部を下降する気流を、押入やウォークインクローゼット等の狭い空間部に吐出させるため、巾木１は、その裏面側上隅部に板じゃくり、或いは塗り仕上げの場合のちりじゃくり等のしゃくり部１１と、表面側上隅部に成形した突出部１２、巾木本体の表面側側壁に本体と平行となるように設けた溝１３から構成され、該巾木１上に壁板２等の仕上材が所定の間隔で取り付けられる。
【００１５】
巾木１の底部側は図面通りの平坦部として、床仕上材に突き付け接合としたり或いは床板や塗り床仕上等に対応するために小穴じゃくり、さねじゃくり等の凹凸を適宜形成する等、接する或いは連結することになる相手方の部材により異なった態様となる。
【００１６】
また、図１では表面側をほぼ垂直状の側壁としているが、下方側を薄厚となるようにテーパー状の側壁に形成してもよい。
【００１７】
上記巾木１は、その裏面側上隅部に成形したしゃくり部１１上に所定の間隔を設けて壁板２を載置する。該壁板２は、上側縁隅部にしゃくり部２１、或いは下側縁と上側縁の隅部にしゃくり部２１が、表面側上隅部に突出部２２が成形されている。
【００１８】
図１に示す壁体７は、巾木１の裏面側上隅部に成形したしゃくり部１１上に、同じく上方裏面側上隅部にしゃくり部２１を成形した壁板２をスペーサー（図示せず）を介し、更に表面側の突出部１２と所定の間隔を設けて設置する。
【００１９】
また、巾木１の上に設置された壁板２のしゃくり部２１上に、上下側縁隅部にしゃくり部３１，３２を成形した壁板３をスペーサーを介し、更に壁板２、３に設けた突出部２２、３３同士も所定の間隔を設けて設置し、以下同様にして壁板２、３、４、５を所定の高さまで設置する。
【００２０】
最上部の壁板５に取り付ける回り縁６は、壁板同士の接合部と同様、壁板５の上端部と所定の間隔を設けて回り縁６を設け、回り縁６の下端部に見切り９が取り付けられる。
【００２１】
以上の施工により巾木１と壁板２、壁板２と壁板３、壁板５と回り縁６との間に通気通路１０を設けた壁体７が形成される。該壁体７の裏側に設けた空間部を下降する気流Ｐは、各部材間に設けた通気通路１０を通り、押入或いはウォークインクローゼット等の狭い空間部へ吐出される。
【００２２】
上記実施例における通気通路は、巾木１、壁板２、３、４、５にしゃくり部、突出部等を設け、スペーサーを介して形成したが、しゃくり部を設けず、適宜長さに連続する横方向に延設した貫通孔とすることもでき、また、円形、三角形、それらの変形タイプとなる楕円形や多角形等様々な適宜形状からなる単独の孔を適数個並設した貫通孔を通気通路とすることも可能である。
【００２３】
外部からの新鮮な空気や建物内の他の場所からの空気を所定の室内に吐出するとき、それら空気とともに塵芥等の浮遊物が吹き出されてくることがある。上記の場合を考慮し、溝内の奥側上端部或いはそれに近接する上方部の位置の吹出口に比較的目の細かな１００メッシュ〜５００メッシュ程度の網を取着する。該網は塵芥等による目詰まりの掃除がし易いように取着自在としておく。取着手段としては掛け止めや吊り手段或いは吹出口への嵌合等様々な形態が考えられる。上記手段により空気とともに入り込んでくる塵芥等の室内への進入を防止することができる。上記実施例では壁板を横方向へ張り付けた例で説明したが、該壁板を縦方向に張り付けた場合においても上記実施例と同様所定の間隔を開けて吹出口が設けられ、壁体が形成される。
【図面の簡単な説明】
【００２４】
【図１】本考案の壁体の断面図。
【図２】本考案の押入を示す斜視図。
【図３】本考案の壁体を取り付ける下地材を示す斜視図。
【図４】従来の巾木を吹出口とした断面図。
【符号の説明】
【００２５】
１      巾木
１１    しゃくり部
１２    突出部
１３    溝
２      壁板
２１    しゃくり部
２２    突出部
３      壁板
３１    しゃくり部
３２    突出部
４      壁板
５      壁板
６      回り縁
７      壁体
８      押入
９      下地材
１０      通気通路
Ｐ      下降気流
【図１】
0003134960.tif 000003
【図２】
0003134960.tif 000004
【図３】
0003134960.tif 000005
【図４】
0003134960.tif 000006